(57)【特許請求の範囲】
【請求項１】
操作者を撮像するためのカメラ及び呼び出し／通話機能を備えた少なくとも１つのインターホン子機と、前記カメラの撮像映像を表示するモニタ及び前記インターホン子機からの呼び出しを受けて応答する通話機能を備えたインターホン親機とが通信ネットワークを介して接続されたインターホンシステムであって、
前記カメラの撮像映像を保存する映像情報保存部を備えたサーバが前記通信ネットワークを介して接続されると共に、
前記インターホン子機は、呼出動作と登録動作との２つの動作を実施する呼出制御部を有し、
前記呼出動作は所定の呼出操作を受けて実施され、前記インターホン親機に呼出信号及び前記カメラの撮像映像のうち少なくとも呼出信号を送信する一方、
前記登録動作は所定の登録操作を受けて実施され、前記サーバに呼出信号及び前記カメラの撮像映像を送信し、前記呼出信号及び前記撮像映像が送信された前記サーバは、受信した前記撮像映像を日時情報と共に前記映像情報保存部に保存することを特徴とするインターホンシステム。
【請求項２】
操作者を撮像するためのカメラ及び呼び出し／通話機能を備えた少なくとも１つのインターホン子機と、前記カメラの撮像映像を表示するモニタ及び前記インターホン子機からの呼び出しを受けて応答する通話機能を備えたインターホン親機とが通信ネットワークを介して接続されたインターホンシステムであって、
監視カメラと当該監視カメラの撮像映像を保存する監視カメラ録画装置とが、前記通信ネットワークを介して接続される一方、
前記インターホン子機は、前記カメラの撮像映像を前記監視カメラ録画装置に保存可能な映像データに変換する映像処理部と、呼出動作と登録動作との２つの動作を実施する呼出制御部とを有し、
前記呼出動作は所定の呼出操作を受けて実施され、前記インターホン親機に呼出信号及び前記カメラの撮像映像のうち少なくとも呼出信号を送信する一方、
前記登録動作は所定の登録操作を受けて実施され、前記監視カメラ録画装置に呼出信号及びデータ変換された前記カメラの撮像映像を送信し、前記監視カメラ録画装置に撮像映像が日時情報と共に保存されることを特徴とするインターホンシステム。
【請求項３】
前記インターホン子機は、押下して前記呼出操作するための呼出ボタンを有し、
前記呼出制御部は、前記呼出ボタンが一定時間以上継続して押下されると前記登録操作が成されたと判断して前記登録動作を開始することを特徴とする請求項１又は２記載のインターホンシステム。
【請求項４】
前記インターホン子機は、映像を一時保管する一時記憶部を有し、
前記呼出制御部は、前記登録操作中の前記カメラの撮像映像を前記一時記憶部に保管し、
前記登録操作の完了を受けて前記一時記憶部に保管された映像を送信することを特徴とする請求項３記載のインターホンシステム。
【発明の詳細な説明】
【技術分野】
【０００１】
本発明は、呼び出し／通話機能を備えたインターホン子機と、通話機能を備えたインターホン親機とが通信ネットワークを介して接続されたインターホンシステムに関する。
【背景技術】
【０００２】
従来より、呼び出し／通話機能を備えたインターホン子機と、通話機能を備えたインターホン親機とがＬＡＮ等の通信ネットワークを介して接続されて呼び出し／通話を可能としたインターホンシステムがある（例えば、特許文献１参照）。
このような通信ネットワークを介して接続されたインターホンシステムは、無人駅等関係者が居ない場所から離れた場所にいる関係者を呼び出すのに便利であるし、町内等の地域において不審者の通報等の防犯に活用できるため、普及が見込まれている。
【先行技術文献】
【特許文献】
【０００３】
【特許文献１】特開２０１４−２２９９８９号公報
【発明の概要】
【発明が解決しようとする課題】
【０００４】
防犯や異常の早期発見のために  、警備員等が所定箇所を定期的に巡回する対策が広く実施されているが、巡回者による履歴の作成において以下のような問題があった。
１つは、紙媒体やパーソナルコンピュータにより履歴を残すことになるが、例えば２回しか巡回していないのに３回巡回したと実施チェックが改ざんされる場合があった。また、２人１組での巡回が義務づけられていても、実際は１人だけで巡回して、記録上は２人と記録する改ざんもあった。
このような改ざんを防止するには、正確な巡回履歴を記録する機器も存在するが、専用機器になりコストアップとなった。
【０００５】
一方で、通信ネットワークを介してインターホン子機とインターホン親機とを接続できるインターホンシステムは、設置範囲が限定されないし接続台数も自由度があるため、警備対象エリアに低コストで容易に設置でき、異常発生の通報等のセキュリティの向上に有効であるため設置が進んでいる。
【０００６】
そこで、本発明は上記巡回履歴改ざんの問題に鑑み、巡回先に設置されたインターホン子機を操作することで履歴の記録作成を可能とし、改ざんを防止することができるインターホンシステムを提供することを目的としている。
【課題を解決するための手段】
【０００７】
上記課題を解決する為に、請求項１の発明は、操作者を撮像するためのカメラ及び呼び出し／通話機能を備えた少なくとも１つのインターホン子機と、カメラの撮像映像を表示するモニタ及びインターホン子機からの呼び出しを受けて応答する通話機能を備えたインターホン親機とが通信ネットワークを介して接続されたインターホンシステムであって、カメラの撮像映像を保存する映像情報保存部を備えたサーバが通信ネットワークを介して接続されると共に、インターホン子機は、呼出動作と登録動作との２つの動作を実施する呼出制御部を有し、呼出動作は所定の呼出操作を受けて実施され、インターホン親機に呼出信号及びカメラの撮像映像のうち少なくとも呼出信号を送信する一方、登録動作は所定の登録操作を受けて実施され、サーバに呼出信号及びカメラの撮像映像を送信し、呼出信号及び撮像映像が送信されたサーバは、受信した撮像映像を日時情報と共に映像情報保存部に保存することを特徴とする。
この構成によれば、警備員等が所定の場所を巡回した際に、巡回場所に設置されたインターホン子機を操作すれば巡回履歴をサーバに残すことができる。そのため、履歴が改ざんされる余地が発生しないし、履歴に映像情報が含まれることで巡回人数も把握でき、巡回が疎かになるのを防止できる。そして、巡回後に別途巡回記録を作成する必要がなくなる。
【０００８】
請求項２の発明は、操作者を撮像するためのカメラ及び呼び出し／通話機能を備えた少なくとも１つのインターホン子機と、カメラの撮像映像を表示するモニタ及びインターホン子機からの呼び出しを受けて応答する通話機能を備えたインターホン親機とが通信ネットワークを介して接続されたインターホンシステムであって、監視カメラと当該監視カメラの撮像映像を保存する監視カメラ録画装置とが、通信ネットワークを介して接続される一方、インターホン子機は、カメラの撮像映像を監視カメラ録画装置に保存可能な映像データに変換する映像処理部と、呼出動作と登録動作との２つの動作を実施する呼出制御部とを有し、呼出動作は所定の呼出操作を受けて実施され、インターホン親機に呼出信号及びカメラの撮像映像のうち少なくとも呼出信号を送信する一方、登録動作は所定の登録操作を受けて実施され、監視カメラ録画装置に呼出信号及びデータ変換されたカメラの撮像映像を送信し、監視カメラ録画装置に撮像映像が日時情報と共に保存されることを特徴とする。
この構成によれば、警備員等が所定の場所を巡回した際に、巡回場所に設置されたインターホン子機を操作すれば巡回履歴を監視カメラ録画装置に残すことができる。そのため、履歴が改ざんされる余地が発生しないし、履歴に映像情報が含まれることで、巡回人数も把握でき、巡回が疎かになるのを防止できる。そして、巡回後に別途巡回記録を作成する必要がなくなる。加えて、監視カメラ録画装置に履歴が保存されるため、監視カメラの映像と共に録画映像を一括管理できるし、別途履歴保存手段を設ける必要が無く安価な構成で実施できる。
【０００９】
請求項３の発明は、請求項１又は２に記載の構成において、インターホン子機は、押下して呼出操作するための呼出ボタンを有し、呼出制御部は、呼出ボタンが一定時間以上継続して押下されると登録操作が成されたと判断して登録動作を開始することを特徴とする。
この構成によれば、呼出ボタンの操作で登録操作もできるため、インターホン子機には呼出ボタンを１つ設ければ良く、従来のインターホン子機を変更すること無く使用でき、安価に構成できる。
【００１０】
請求項４の発明は、請求項３に記載の構成において、インターホン子機は、映像を一時保管する一時記憶部を有し、呼出制御部は、登録操作中のカメラの撮像映像を一時記憶部に保管し、登録操作の完了を受けて一時記憶部に保管された映像を送信することを特徴とする。
この構成によれば、登録操作中の映像が保管されるので、操作者の映像を確実に録画できるし、映像を含むファイルの伝送は登録操作終了後のため、伝送速度を下げても良いし、インターホン子機カメラの解像度を上げることも可能となる。更に、エラーリトライも可能となるため、確実な記録を実施できる。
【発明の効果】
【００１１】
本発明によれば、警備員が所定の場所を巡回した際に、巡回場所に設置されたインターホン子機を操作すれば巡回履歴をサーバに残すことができる。そのため、履歴が改ざんされる余地が発生しないし、履歴に映像情報が含まれることで巡回人数も把握でき、巡回が疎かになるのを防止できる。そして、巡回後に別途巡回記録を作成する必要がなくなる。
【図面の簡単な説明】
【００１２】
【図１】本発明に係るインターホンシステムの一例を示し、各機器を回路ブロック図で示した概略構成図である。
【図２】他の形態を示すインターホンシステムを示し、各機器を回路ブロック図で示した概略構成図である。
【発明を実施するための形態】
【００１３】
以下、本発明を具体化した実施の形態を、図面を参照して詳細に説明する。図１は本発明に係るインターホンシステムの一例を示す概略構成図であり、機器を回路ブロック図で示している。１は操作者を撮像するためのカメラ１１及び呼び出し／通話機能を備えたインターホン子機（以下、単に「子機」と称する。）、２はカメラ１１の撮像映像を表示するモニタ２１及び子機１からの呼び出しを受けて応答する通話機能を備えたインターホン親機（以下、単に「親機」と称する。）、３はカメラ１１の撮像映像を保存するサーバである。子機１及び親機２はそれぞれ少なくとも１台設置され、各機器はＬＡＮ或いはインターネット等の通信ネットワークＮを介して互いに接続されている。
尚、子機１は、例えば警備員が巡回する場所に設置され、親機２及びサーバ３は警備会社等に設置される。例えば、子機１は、公園、イベント会場、オフィスビル、コインパーキング等巡回で立ち寄る場所に設置される。
【００１４】
子機１は、カメラ１１に加えて呼出操作と後述する登録操作の双方を実施する呼出ボタン１２、通話するためのマイク１３及びスピーカ１４、音声信号のＡ／Ｄ・Ｄ／Ａ変換等を実施する音声処理部１５、映像信号の変調等を実施する映像処理部１６、カメラ１１の撮像映像を一時保管するメモリ１７、子機１を制御する子機ＣＰＵ１８、親機２及びサーバ３と通信を実施する子機通信ＩＦ１９等を備えている。
【００１５】
親機２は、映像を表示するモニタ２１に加えて、応答するためのハンドセット２２、通話及び発報のためのスピーカ２３、音声信号のＡ／Ｄ・Ｄ／Ａ変換等を実施する音声処理部２４、映像信号の復調等を行う映像処理部２５、親機２を制御する親機ＣＰＵ２６、子機１及びサーバ３と通信する親機通信ＩＦ２７等を備えている。
サーバ３は、映像を保存する映像記憶部３１、サーバ３を制御するサーバＣＰＵ３２、子機１及び親機２と通信するサーバＩＦ３３等を備えている。
【００１６】
このように構成されたインターホンシステムの動作は以下の様である。上述したように、呼出ボタン１２の操作により呼出操作と登録操作が実施できるが、まず登録操作を説明する。登録操作は、子機１を操作した人物の映像及び操作した日時情報をサーバ３に記録させて履歴を残す操作であり、呼出ボタン１２を所定時間以上（例えば、２秒以上）継続して押下することで実施される。以下、これを「長押し」と称して説明する。
【００１７】
子機ＣＰＵ１８は、呼出ボタン１２が長押しされると登録操作されたと認識し、スピーカ１４から登録操作されたことをアナウンス等で通知し、サーバ３に対して呼出信号とカメラ１１の撮像映像を送信する。
具体的に子機ＣＰＵ１８は、呼出ボタン１２が押下されたらカメラ１１を起動して撮像映像をメモリ１７に録画して一時保管する。この録画は呼出ボタン１２の押下が終了するまで継続され、呼出ボタン１２の長押し終了を受けて録画も終了する。この結果、２秒以上の映像がメモリ１７に保管される。尚、呼出ボタン１２の押下時間が所定時間に満たなかった場合は、呼出操作されたと判断し後述する呼出動作を実施し、メモリ１７へ録画した像が消去される。
【００１８】
こうして長押しされた後、メモリ１７に保管された映像が呼出信号と共にサーバ３に送信される。呼出信号及び映像は通信ネットワークＮを介してサーバ３に送信される。
呼出信号及び映像を受信したサーバＣＰＵ３２は、呼出信号に含まれる子機１のＩＤ情報と受信した映像を、受信した時刻情報と共に映像記憶部３１に保存する。
【００１９】
一方、呼出ボタン１２が押下されても長押しされなかった場合が呼出操作となる。押下継続時間が所定時間に達しなかったら、子機ＣＰＵ１８は呼出操作が成されたと判断して、呼出動作を開始する。呼出動作は、呼出信号を生成して親機２に送信すると共に、カメラ１１の撮像映像を親機２に送信する。
通信ネットワークＮを介して呼出信号及び映像を受信した親機２では、親機ＣＰＵ２６がスピーカ２３から呼出音を報音させると共に、送信された映像をモニタ２１に表示させる。
こうして、親機２の呼出音に気づいた応答者がハンドセット２２を取り上げると、通話路が形成されて、呼出者と応答者との間で通話が成される。
【００２０】
このように、警備員等が所定の場所を巡回した際に、巡回場所に設置された子機１を所定の登録操作すれば、巡回履歴をサーバ３に残すことができる。そのため、履歴が改ざんされる余地が発生しないし、履歴に映像情報が含まれることで、巡回人数も把握でき、巡回が疎かになるのを防止できる。そして、巡回後に別途巡回記録を作成する必要がなくなる。
また、呼出ボタン１２の操作で登録操作もできるため、子機１には呼出ボタン１２を１つ設ければ良く、従来の子機を変更すること無く使用でき、安価に構成できる。
更に、登録操作中の映像が保管されるので、操作者の映像を確実に録画できるし、映像を含むファイルの伝送は登録操作終了後のため、伝送速度を下げても良いし、カメラ１１の解像度を上げることも可能となる。更に、エラーリトライも可能となるため、確実な記録を実施できる。
【００２１】
図２はインターホンシステムの他の形態を示す概略構成図であり、次に他の形態を図２を参照して説明する。図１とは登録操作を受けて実施される録画先が異なっており、監視カメラの撮像映像を録画するための監視カメラ録画装置４に録画するよう構成されている。以下、図１と共通する構成要素には同一の符号を付与して説明を省略し、異なる構成を中心に説明する。
子機１、親機２の接続形態は図１と同様であり、監視カメラ録画装置４も上記サーバ３と同様に通信ネットワークＮを介して子機１及び親機２に接続されている。尚、監視カメラ録画装置４が本来録画する対象の監視カメラは省略してある。
【００２２】
子機１は、カメラ１１が出力する映像信号を監視カメラ録画装置４が録画可能な映像データにデータ変換する映像処理部１６ａを有し、データ変換された映像が出力される。一方親機２は、子機１から送信された映像信号を元のデータに戻してモニタ２１に表示する映像を生成する映像処理部２５ａを有している。
【００２３】
そして、監視カメラ録画装置４は、映像を保存する映像記憶部４１、監視カメラ録画装置を制御する録画装置ＣＰＵ４２、子機１及び親機２と通信する録画装置ＩＦ４３等を備えている。
【００２４】
このように構成されたインターホンシステムの基本動作は上記形態と同様であり、呼出操作されると親機２が呼び出されて応答操作を受けると通話路が形成される。また、呼出ボタン１２が長押しされて登録操作されると、子機ＣＰＵ１８の制御によりカメラ１１の撮像映像がメモリ１７に録画され、呼出ボタン１２の長押しが終了したら録画を終了し、呼出信号と録画映像が監視カメラ録画装置４に送信される。
呼出信号及び映像を受信した監視カメラ録画装置４は、呼出信号に含まれる子機１のＩＤ情報と映像を、受信した時刻情報と共に映像記憶部４１に保存する。
【００２５】
ここで映像信号について説明する。上述したように監視カメラ録画装置４が録画できる映像信号は監視カメラの出力信号形態であり、インターホンのカメラが出力する信号とはフォーマットが異なっている。カメラ１１が出力する映像信号は、通常ＮＴＳＣのアナログ信号であり、これがＡ／Ｄ変換されて親機２やサーバ３に送信される（上記図１の形態）。一方、監視カメラ録画装置４は監視カメラが出力する映像信号に合わせて、映像の圧縮符号化方式の一つでＨ．２６４のフォーマットで圧縮された映像が保存される。
そのため、子機１のカメラ１１が出力する映像信号も、映像処理部１６ａにおいて監視カメラ録画装置４が録画可能なＨ．２６４のフォーマットに変換されて出力される。
【００２６】
また親機２では、子機１から受信した映像や監視カメラ録画装置４の録画映像をモニタ２１に表示するために、映像処理部２５ａにおいてＨ．２６４の映像データがＮＴＳＣ信号に変換され、モニタ２１に表示可能な映像が生成される。
【００２７】
このように、警備員等が所定の場所を巡回した際に、巡回場所に設置された子機１を操作すれば巡回履歴を監視カメラ録画装置４に残すことができる。そのため、履歴が改ざんされる余地が発生しない。また、履歴に映像情報が含まれることで、巡回人数も把握でき、巡回が疎かになるのを防止できる。そして、巡回後に別途巡回記録を作成する必要がない。
加えて、監視カメラ録画装置４に履歴が保存されるため、監視カメラの映像と共に録画映像を一括管理できるし、別途履歴保存手段を設ける必要が無く安価な構成で実施できる。
【００２８】
尚、上記実施形態では、いずれも子機１に一時録画した映像をサーバ３或いは監視カメラ録画装置４に送信する構成であるが、子機１にメモリ１７を設けず映像を直接送信しても良い。例えば、呼出操作／登録操作の判断を呼出ボタン１２の押下操作終了時に実施し、長押しでなければ呼出制御を開始し、長押しであったら登録制御を開始するよう子機ＣＰＵ１８に制御させればよい。このように制御しても、少なくとも撮像開始時に呼出ボタン１２を操作した操作者を撮像できるため、履歴データとして利用できる。そして、一定時間（例えば５秒）経過したら映像の送信を終了させれば良い。
また、呼出ボタン１２を呼出専用として、別途登録専用のボタンを設けても良い。
【符号の説明】
【００２９】
１・・インターホン子機、２・・インターホン親機、３・・サーバ、４・・監視カメラ録画装置、１１・・カメラ、１２・・呼出ボタン、１６ａ・・映像処理部、１７・・メモリ（一時記憶部）、１８・・子機ＣＰＵ（呼出制御部）、２１・・モニタ、２５ａ・・映像処理部、３１・・映像記憶部（映像情報保存部）、３２・・サーバＣＰＵ、４１・・映像記憶部、４２・・録画装置ＣＰＵ。
【図１】
0006408413.tif 000002
【図２】
0006408413.tif 000003